【手続補正書】
【提出日】平成28年8月26日(2016.8.26)
【手続補正１】
【補正対象書類名】明細書
【補正対象項目名】０００４
【補正方法】変更
【補正の内容】
【０００４】
【特許文献１】特開２０１３−１３９１０３号公報
【特許文献２】特開昭６３−１１４６２５号公報
【手続補正２】
【補正対象書類名】明細書
【補正対象項目名】００１０
【補正方法】変更
【補正の内容】
【００１０】
（２）（１）に記載されたステッチ加飾付き内装部品において、
前記ステッチ加飾部は、前記表皮材が長手方向に縫製状に形成された疑似糸部と、当該疑似糸部の長手方向と直交する両側に位置し前記表皮材が前記基材側に向けて傾斜するダレ部とを備えたことを特徴とする。
【手続補正３】
【補正対象書類名】明細書
【補正対象項目名】００１１
【補正方法】変更
【補正の内容】
【００１１】
本発明においては、ステッチ加飾部は、表皮材が長手方向に縫製状に形成された疑似糸部と、当該疑似糸部の長手方向と直交する両側に位置し表皮材が基材側に向けて傾斜するダレ部とを備えたので、疑似糸部の長手方向と直交する両側に位置するダレ部によって表皮材の局部伸びを抑制しつつ疑似糸部を形成することができる。そのため、ステッチ加飾部における表皮材の破れなど面品質（見栄え）上の問題が生じる恐れを低減させることができる。
よって、本発明によれば、ステッチ加飾部に掛かる生産コストを低減できるとともに、ステッチ加飾部の面品質（見栄え）をより一層向上できる。
【手続補正４】
【補正対象書類名】明細書
【補正対象項目名】００１３
【補正方法】変更
【補正の内容】
【００１３】
本発明においては、ステッチ加飾付き内装部品は、車両の乗員が着座姿勢で目視できる位置にステッチ加飾部を備えた車両用内装部品であり、ダレ部は、疑似糸部を通過する基材表面の面直線に対して非対称に傾斜して形成されたので、疑似糸部の長手方向と直交する両側に位置するダレ部に挟まれて見え難い疑似糸部を、見る方向に合わせてダレ部の傾斜度合いを変更して、ステッチ加飾部における疑似糸部の縫目を見え易くさせることができる。疑似糸部の縫目を見え易くさせることによって、糸の縫製によるステッチ模様の印象を見る者に付与することができる。その結果、ステッチ加飾部を、糸を縫製したように良好に感じさせることができる。
よって、本発明によれば、ステッチ加飾部の面品質（見栄え）を、より一層向上できる。
【手続補正５】
【補正対象書類名】明細書
【補正対象項目名】００１９
【補正方法】変更
【補正の内容】
【００１９】
本発明においては、ステッチ加飾部は、２列のアウターステッチ部がインナーステッチ部を間に挟んで形成されたダブルステッチであるので、２列の疑似糸部の長手方向と直交する両側に位置する各ダレ部によって表皮材の局部伸びを吸収しつつステッチ加飾部を形成することができる。そのため、ステッチ加飾部における表皮材の破れなど面品質（見栄え）上の問題が生じる恐れも少ない。
よって、本発明によれば、ダブルステッチにおいても、ステッチ加飾部に掛かる生産コストを低減できるとともに、ステッチ加飾部の面品質（見栄え）をより一層向上できる。
【手続補正６】
【補正対象書類名】明細書
【補正対象項目名】００３５
【補正方法】変更
【補正の内容】
【００３５】
また、第１アウターステッチ部３Ａ及び第２アウターステッチ部３Ｂには、疑似糸部３１、３２の長手方向と直交する両側に位置し表皮材２の表皮２１が基材側に向けて傾斜するダレ部３１ａ、３１ｂ、３２ａ、３２ｂをそれぞれ備えている。ダレ部３１ａ、３１ｂ、３２ａ、３２ｂの基材側先端は、疑似糸部３１、３２の円弧表面基端と交差している。ダレ部３１ａ、３１ｂ、３２ａ、３２ｂは、疑似糸部３１、３２を通過する基材表面１１の面直線ｐ１、ｐ２に対して非対称に傾斜して形成されている。ここで、「疑似糸部３１、３２を通過する基材表面１１の面直線ｐ１、ｐ２」とは、疑似糸部３１、３２の長手方向と直交する断面上で、疑似糸部３１、３２の頂点を通過し、基材表面１１の接線と直交する法線を意味する。
【手続補正７】
【補正対象書類名】明細書
【補正対象項目名】００３７
【補正方法】変更
【補正の内容】
【００３７】
このように、第２アウターステッチ部３Ｂにおいて、疑似糸部３２の長手方向と直交する両側に位置するダレ部３２ａ、３２ｂに挟まれて見え難い疑似糸部３２を、見る方向に合わせてダレ部３２ａ、３２ｂの傾斜度合いを変更して、ステッチ加飾部３における疑似糸部３１、３２の縫目３Ａ１、３Ｂ１を見え易くさせている。疑似糸部３２の縫目３Ｂ１を見え易くさせることによって、糸の縫製によるステッチ模様の印象を見る者に付与することができる。
【手続補正８】
【補正対象書類名】明細書
【補正対象項目名】００５８
【補正方法】変更
【補正の内容】
【００５８】
また、本実施形態によれば、ステッチ加飾部３は、表皮材２が長手方向に縫製状に形成された疑似糸部３１、３２と、当該疑似糸部３１、３２の長手方向と直交する両側に位置し表皮材２が基材側に向けて傾斜するダレ部３１ａ、３１ｂ、３２ａ、３２ｂとを備えたので、疑似糸部３１、３２の長手方向と直交する両側に位置するダレ部３１ａ、３１ｂ、３２ａ、３２ｂによって表皮材２の局部伸びを抑制しつつ疑似糸部３１、３２を形成することができる。そのため、ステッチ加飾部３における表皮材２の破れなど面品質（見栄え）上の問題が生じる恐れを低減させることができる。
【手続補正９】
【補正対象書類名】明細書
【補正対象項目名】００５９
【補正方法】変更
【補正の内容】
【００５９】
また、本実施形態によれば、ステッチ加飾付き内装部品１０は、車両の乗員ｍが着座姿勢で目視できる位置にステッチ加飾部３を備えた車両用内装部品であり、第２アウターステッチ部３Ｂのダレ部３２ａ、３２ｂは、疑似糸部３２を通過する基材表面１１の面直線ｐ２に対して非対称に傾斜して形成されたので、疑似糸部３２の長手方向と直交する両側に位置するダレ部３２ａ、３２ｂに挟まれて見え難い疑似糸部３２を、見る方向に合わせてダレ部３２ａ、３２ｂの傾斜度合いを変更して、ステッチ加飾部３における疑似糸部３２の縫目３Ｂ１を見え易くさせることができる。疑似糸部３２の縫目３Ｂ１を見え易くさせることによって、糸の縫製によるステッチ模様の印象を見る者に付与することができる。その結果、ステッチ加飾部３を、糸を縫製したように良好に感じさせることができる。
【手続補正１０】
【補正対象書類名】明細書
【補正対象項目名】００６２
【補正方法】変更
【補正の内容】
【００６２】
また、本実施形態によれば、ステッチ加飾部３は、２列のアウターステッチ部３Ａ、３Ｂがインナーステッチ部３Ｃを間に挟んで形成されたダブルステッチであるので、２列の疑似糸部３１、３２の長手方向と直交する両側に位置する各ダレ部３１ａ、３１ｂ、３２ａ、３２ｂによって表皮材２の局部伸びを吸収しつつステッチ加飾部３を形成することができる。そのため、ステッチ加飾部３における表皮材２の破れなど面品質（見栄え）上の問題が生じる恐れも少ない。
【手続補正１１】
【補正対象書類名】特許請求の範囲
【補正対象項目名】全文
【補正方法】変更
【補正の内容】
【特許請求の範囲】
【請求項１】
基材と、当該基材表面に接着された表皮材とからなり、前記表皮材にステッチ加飾部が形成されたステッチ加飾付き内装部品であって、
前記ステッチ加飾部は、前記表皮材が長手方向に縫製状に形成された疑似糸部と、当該疑似糸部の長手方向と直交する両側に位置し前記表皮材が前記基材側に向けて傾斜するダレ部とを備えたこと、
前記ステッチ加飾付き内装部品は、車両の乗員が着座姿勢で目視できる位置に前記ステッチ加飾部を備えた車両用内装部品であり、前記ダレ部は、前記疑似糸部を通過する前記基材表面の面直線に対して非対称に傾斜して形成されたことを特徴とするステッチ加飾付き内装部品。
【請求項２】
請求項１に記載されたステッチ加飾付き内装部品において、
前記疑似糸部に対して前記乗員と同一側に位置する乗員側ダレ部の前記疑似糸部を通過する前記基材表面の面直線に対する傾斜角は、前記疑似糸部に対して前記乗員と反対側に位置する反対側ダレ部の前記疑似糸部を通過する前記基材表面の面直線に対する傾斜角より大きく形成されたことを特徴とするステッチ加飾付き内装部品。
【請求項３】
請求項２に記載されたステッチ加飾付き内装部品において、
前記乗員側ダレ部の前記傾斜角は、前記疑似糸部が長手方向で前記乗員側から離間するにしたがって大きくなるように形成されたことを特徴とするステッチ加飾付き内装部品。
【請求項４】
請求項２又は請求項３に記載されたステッチ加飾付き内装部品において、
前記ステッチ加飾部は、２列のアウターステッチ部がインナーステッチ部を間に挟んで形成されたダブルステッチであることを特徴とするステッチ加飾付き内装部品。
【請求項５】
請求項４に記載されたステッチ加飾付き内装部品において、
前記２列のアウターステッチ部の内、乗員側と離間して位置する第２アウターステッチ部における乗員側ダレ部の前記傾斜角は、乗員側と近接して位置する第１アウターステッチ部における乗員側ダレ部の前記傾斜角より大きく形成されたことを特徴とするステッチ加飾付き内装部品。
【請求項６】
請求項１乃至請求項５のいずれか１項に記載されたステッチ加飾付き内装部品の成形型において、
前記成形型は、前記基材を保持する基材保持型と、前記表皮材を基材表面に押圧する表皮材押圧型とを備えた真空成形型であり、
前記表皮材押圧型には、前記表皮材を押圧する表皮材押圧部に前記ステッチ加飾部を形成する突起部を設けたことを特徴とするステッチ加飾付き内装部品の成形型。
【請求項７】
請求項６に記載されたステッチ加飾付き内装部品の成形型において、
前記表皮材押圧部には、前記表皮材を押圧する表皮材押圧面に沿って電鋳殻が形成され、当該電鋳殻には、前記突起部を備えたことを特徴とするステッチ加飾付き内装部品の成形型。
【請求項８】
請求項７に記載されたステッチ加飾付き内装部品の成形型であって、
前記電鋳殻を積層させる入槽モデルを転写する原器となる原型モデルには、前記ステッチ加飾部の縫目を形成する針孔部の孔中心線が、前記原型モデルの基材基準面に対する面直線より前記表皮材押圧方向に近づく方向へ傾斜して穿設されたことを特徴とするステッチ加飾付き内装部品の成形型。